(57)【要約】  モアレを抑制することができる背面投写型表示装置を提供することを目的とする。  本発明に係る背面投写型表示装置は、複数のレンチキュラーレンズ２１１が配列されたレンチキュラーレンズシート１１１にＤＭＤで生成された映像光を投影表示する表示装置であって、黒画像表示時における画素中の輝度パターンをフーリエ変換し、ＤＭＤ画素一周期分に一致する周期での振幅強度値をＡとし、前記撮影面積範囲での輝度平均値をＢとしたとき、Ａ／Ｂ＜０．０４５であることを特徴とする背面投写型表示装置である。【特許請求の範囲】
【請求項１】
光源と、該光源から出射された光を画像信号に従って画素ごとに微小なミラーによって変調するデジタルマイクロミラーデバイスと、該デジタルマイクロミラーデバイスで変調された画像光を投写する投射光学系と、投射された画像が結像する周期構造を有するスクリーンとを有する背面投射型表示装置において、前記デジタルマイクロミラーデバイスに黒画像信号を入力したときに、スクリーン取り付け位置に、スクリーンに換えて設けられたゲイン７．５の拡散板に投影された画像中央における水平方向に配列された画素４個以上および垂直方向に配列された画素１個以上を含む領域の輝度を、１画素あたり２５以上の分解能で反投射側正面から測定し、その輝度をスクリーンの周期構造に垂直な方向に積分した場合に、前記輝度パターンをフーリエ変換し、ＤＭＤ画素一周期分に一致する周期での振幅強度値をＡとし、前記撮影面積範囲での輝度平均値をＢとしたとき、Ａ／Ｂ＜０．０４５であることを特徴とする背面投写型表示装置。
【請求項２】
前記投射光学系は、出射瞳を制限する絞りが設けられている請求項１記載の背面投写型表示装置。
【請求項３】
前記絞りは、前記デジタルマイクロミラーデバイスのミラーを駆動する方向にのみ出射瞳を制限する請求項２記載の背面投写型表示装置。
【発明の詳細な説明】
【技術分野】
【０００１】
本発明は、映像をスクリーンの背後から投写して表示する背面投写型表示装置に関する。
【背景技術】
【０００２】
従来、一般に背面投写型テレビジョンに用いられているスクリーンでは、同心円状のフレネルレンズ及び縦ストライプ状のレンチキュラーレンズとが使用されている。このような背面投写型スクリーンにおいては、そのスクリーン面に投写された画素とスクリーンの周期的構造に起因してモアレ障害が発生する。そのため、画素ピッチＧｐとレンチキュラーレンズのレンズピッチ（以下、これをレンチピッチＬｐと略す）とのピッチ比が適正化されて用いられる。例えば、特許文献１に、この画素ピッチとレンチピッチのピッチ比（画素ピッチ／レンズピッチ；これをＧｐ／Ｌｐと略す）の好ましい組合せが開示されている。【０００３】
近年、デジタルマイクロミラーデバイス（Digital Micromirror Device）（以下、ＤＭＤと称する場合がある）を用いた背面投写型表示装置が提案されている。このような背面投写型表示装置では、光源からＤＭＤに光が照射され、ＤＭＤの鏡面で反射した反射光がレンズを通して背面投写型スクリーンに投射されている。この背面投写型スクリーンに光を投射するＤＭＤを用いたプロジェクション装置の一例が、特許文献２に開示されている。【０００４】
特許文献２に開示されたＤＭＤを用いたプロジェクタ装置では、微少なＤＭＤは、映像データの１画面（フレーム）分の画素の配列と同様に配列されている。各ＤＭＤは、映像データに基づいて画素として有効・無効となった場合には、それぞれ所定の方向に傾き、これによってオン・オフされる。
オン状態となったＤＭＤが反射面で反射した反射光は、各種レンズを介してプロジェクタ装置の外部に出射される。その後、スクリーン等の映像表示対象物（図示せず）の映像表示面において結像し、これによって、映像表示面上に映像が映写される。【０００５】
このようなＤＭＤでは、光を反射させるミラーは、支持部に支持されている。駆動装置は、支持部に支持されたミラーを制御することによって、その反射面の傾きを変える。支持部は、ミラーの反射面の裏面において支持されているが、この支持部分の裏側、つまり支持部分における反射面の反射拡散特性、特に反射角度が変化する。【０００６】
本来、黒画面（以下、暗画面と呼ぶこともある）を表示するとき、光源からの光は、ミラー面では映像観視方向には反射されない。しかしながら、ＤＭＤのミラーは、支持部分における反射面の反射特性が変化しているので、本来意図しない方向へ一部の光を反射させる。この本来意図しない反射光の一部が、映像観視方向に出射するため、スクリーン面上の画素中で輝点として認識される。【０００７】
ＤＭＤを用いた背面投写型表示装置においては、黒画面表示のとき、輝点が生じる画素とレンチキュラーレンズとが干渉し、モアレ障害が発生することがある。さらに、画素の輝点が非常に小さいため変調度が高く、レンチキュラーレンズと干渉しやすい。特に、黒画面が表示されている場合には、この輝点が顕著に視認されるため、黒画面表示におけるモアレ障害は、視認されやすい。
以下、この黒画面におけるモアレを暗モアレと呼ぶ。これに対して、白画面（以下、明画面と呼ぶことがある）におけるモアレを明モアレと呼ぶ。【０００８】
【特許文献１】特開平８−０３６２２４号公報
【特許文献２】特開平７−０２０５８６号公報
【発明の開示】
【発明が解決しようとする課題】
【０００９】
本発明は、上記課題を鑑みてなされたものであり、モアレを抑制することができる背面投写型表示装置を提供することを目的とする。
【課題を解決するための手段】
【００１０】
本発明に係る背面投写型表示装置は、光源と、該光源から出射された光を画像信号に従って画素ごとに微小なミラーによって変調するデジタルマイクロミラーデバイスと、該デジタルマイクロミラーデバイスで変調された画像光を投写する投射光学系と、投射された画像が結像する周期構造を有するスクリーンとを有する背面投射型表示装置において、前記デジタルマイクロミラーデバイスに黒画像信号を入力したときに、スクリーン取り付け位置に、スクリーンに換えて設けられたゲイン７．５の拡散板に投影された画像中央における水平方向に配列された画素４個以上および垂直方向に配列された画素１個以上を含む領域の輝度を、１画素あたり２５以上の分解能で反投射側正面から測定し、その輝度をスクリーンの周期構造に垂直な方向に積分した場合に、前記輝度パターンをフーリエ変換し、ＤＭＤ画素一周期分に一致する周期での振幅強度値をＡとし、前記撮影面積範囲での輝度平均値をＢとしたとき、Ａ／Ｂ＜０．０４５であることを特徴とするものである。このような構成において、黒画面表示時に画素中の輝点の変調度を低下させることができるので、暗モアレを抑制することができる。【００１１】
さらに、前記投射光学系は、出射瞳を制限する絞りが設けられている。好ましくは、前記絞りは、前記デジタルマイクロミラーデバイスのミラーを駆動する方向にのみ出射瞳を制限する。これにより、必要以上に投射光を制限することなくモアレを抑制することができる。
【発明の効果】
【００１２】
本発明によれば、暗モアレを抑制することができる背面投写型表示装置を提供することができる。
【図面の簡単な説明】
【００１３】
【図１】本発明に係る背面投写型装置の一構成例を示す模式図である。
【図２】本発明に係る背面投写型スクリーンの画素の一構成例を示す模式図である。
【図３】本発明に係る背面投写型スクリーンの画素の一構成例を示す模式図である。
【図４】本発明に係るプロジェクタの全体構成の一例を示す模式図である。
【図５】本発明に係るプロジェクタの内部構成の一例を示すブロック図である。
【図６】ＤＭＤを用いた表示装置における輝点の発生機構を説明する図である。
【図７】一実施の形態における輝度パターンを示す図である。
【図８】一実施例における輝度パターンに対するフーリエ変換の結果を示す図である。
【符号の説明】
【００１４】
１…背面投写型表示装置、１１…背面投写型スクリーン、１２…プロジェクタ、１１１…レンチキュラーレンズシート、２１１…レンチキュラーレンズ、２１２…遮光パターン、１１２…フレネルレンズシート、２２１…フレネルレンズ
３０…駆動装置、３１…光源、３２…コンデンサレンズ、３３…反射ミラー、３４…カラーホイール、３４１…カラーフィルター、３４２…回転制御装置３５…整形用レンズ、３６１…反射ミラー、３７１…ＤＭＤ、３８１…リレー・レンズ、３９１…ウォブリング部、４０…投写レンズ、４１…絞り
５１…電源部、５２…光源駆動部、５３…信号処理部、５４…制御部、５５１…フレーム・メモリ、５６１…微小可動ミラー、５７１…ダイクロイック・ミラー、５８１…ミラー振動装置
【発明を実施するための最良の形態】
【００１５】
以下、本発明を実施するための最良の形態について図を参照して説明する。
まず、図１を用いて、本発明に係る背面投写型表示装置の構成について説明する。図１は、本発明に係る背面投写型表示装置の一構成例を示す平面模式図である。図１に示すように、背面投写型表示装置１は、背面投写型スクリーン１１、プロジェクタ１２とを有する。また、以下においては、背面投写型スクリーン１１をスクリーン１１と略すことがある。【００１６】
背面投写型スクリーン１１は、レンチキュラーレンズシート１１１、フレネルレンズシート１１２を有する。
レンチキュラーレンズシート１１１は、レンチキュラーレンズ２１１、遮光パターン２１２を有する。レンチキュラーレンズ２１１は、レンチキュラーレンズシート１１１の光入射面側に設けられている。このレンチキュラーレンズ２１１は、かまぼこ型の複数の縦長シリンドリカルレンズから構成され、それぞれが等間隔になるように配列されている。遮光パターン２１２は、黒インク等からなる光吸収層であり、レンチキュラーレンズ２１１による集光部以外の部位に設けられている。
フレネルレンズシート１１２は、レンチキュラーレンズシート１１１に近接している。フレネルレンズシート１１２は、フレネルレンズ２２１を有し、このフレネルレンズ２１２が光出射面に設けられている。フレネルレンズ２１２は、等間隔の微細ピッチで同心円状に配列されたレンズである。【００１７】
なお、図１においては、紙面に垂直な方向がレンチキュラーレンズ２１１の延在方向であり、紙面に平行な方向がレンチキュラーレンズ２１１の配列方向である。また、後述するように、これらレンチキュラーレンズ２１１の延在方向、配列方向は、スクリーン１１の上下方向、左右方向に対応している。換言すれば、これら延在方向、配列方向は、スクリーン１１が設置された状態で、垂直方向、水平方向となる。また、観察者がスクリーン１１を視認した場合には、延在方向、配列方向は、このような設置状態で縦方向、横方向である。【００１８】
図１に示すように、背面投写型表示装置１において、プロジェクタ１２からの光は、スクリーン１１の背面から投写される。具体的には、フレネルレンズ２２１の反対側から入射され、この入射された光は、フレネルレンズシート１１２内を通過してフレネルレンズ２２１側へと出射される。この出射された平行光または収束光は、レンチキュラーレンズシート１１１により水平方向に大きく拡散される。これによって、水平方向の広い視野範囲で映像を観察することが可能となる。【００１９】
図２に、本発明に係る背面投写型スクリーン１１における画素配列の一例が示されている。
図２に示すように、本発明に係るスクリーン１１の画素２３は、菱形状に配列されたものである。詳細には、画素２３は、視認側から観察したときに、矩形状の画素を傾斜させた形状を有する。複数の画素２３は、このように傾斜した状態で配列され、互いの辺同士が略平行となるように並んだ状態で配列されている。従って、この画素２３は、傾斜した状態で、この傾斜方向に配列されている。換言すれば、画素２３は、従来の画素のように水平方向、垂直方向に配列させたものを傾斜させたものである。【００２０】
図３に、本発明に係るスクリーン１１の画素幅及び画素配列周期が示されている。図３（ａ）は本発明における菱形状の画素、図３（ｂ）は従来における正方形状の画素を説明する平面模式図である。
図３（ａ）に示すように、傾斜状態で配列された画素２３は、正方形状の画素２４を４５°回転させたものとなる。そのため、傾斜状態で配列された画素２３の画素幅は、正方形状の画素２４の画素幅ｄＴとした場合には、（√２）ｄＴ≒１．４ｄＴ程度となる。
傾斜状態で配列された画素２３の画素配列周期Δは、正方形状の画素２４の画素配列周期Ｔが正方形の一辺の長さであるのに対し、水平方向の幅の半分となる。そのため、傾斜状態で配列された画素２３の画素配列周期Δは、正方形状の画素２４の画素配列周期Ｔに対して、Δ＝（√２）Ｔ／２≒０．７Ｔ程度となる。また、図３に示された画素有効部２３０，２４０は、各画素２３，２４の開口部分である。なお、図３に示すように、ｘ，ｙを水平位置座標、垂直位置座標とし、原点を画素中央とする。【００２１】
続いて、図４を用いて、本発明に係る背面投写型表示装置１のプロジェクタ１２の構成について説明する。
図４に、本発明に係るプロジェクタ１２の全体構成の一例が示されている。図４（ａ）はその斜視模式図、図４（ｂ）はその光学配置を示す平面模式図である。【００２２】
図４に示すように、プロジェクタ１２の駆動装置３０が光源３１を駆動させると、光源３１が投射光となる白色光を照射する。この白色光は、図示しないＵＶフィルタで不要な紫外線が除去された後、コンデンサレンズ３２、反射ミラー３３を通じて、カラーホイール３４に入射される。入射された白色光がカラーホイール３４を透過すると、後述するように、赤色光、緑色光、青色光のいずれかが分離される。この分離された光は、整形用レンズ３５１に入射され、この整形用レンズ３５１を通じて、反射ミラー３６１によって折り曲げられる。これら折り曲げられた赤色光、緑色光、青色光のいずれかは、全反射プリズム３６４を介して、ＤＭＤ３７１に照射される。【００２３】
ＤＭＤ３７１の微小可動ミラー５６１は、前述したように、映像データによってオン状態となり、これによって、照射された赤色光、緑色光、青色光のいずれかが、有効反射光として反射される。この反射された映像光は、リレー・レンズ３８１を通じて、ウォブリング部３９１に導かれる。その後、この映像光は、ウォブリング部３９１によって上下にウォブリングされながら、投射レンズ４０、絞り４１を通じて、スクリーン１１上で、カラー映像光として合成されて投影される。【００２４】
さらに続いて、図５を用いて、本発明に係るプロジェクタ１２の駆動装置３０について詳細に説明する。
図５は、この駆動装置３０の内部構成の一例が示すブロック図である。
駆動装置３０は、電源部５１、光源駆動部５２、信号処理部５３、制御部５４を有する。
電源部５１は、電源供給回路、ＤＣ電源等から構成され、各種機能部に対して電源を供給し、プロジェクタ１２の動作を開始させる。光源駆動部５２は、光源３１を点灯駆動させ、光源３１から映像光を照射させる。【００２５】
信号処理部５３は、例えば、ＡＤ変換回路、ガンマ補正回路、インタフェース回路等から構成されている。この信号処理部５３には、ビデオ機器やパーソナル・コンピュータ等の外部機器（図示せず）から、プロジェクタ１２によって表示される各種の表示信号が入力される。信号処理部５３は、入力された表示信号をＡ／Ｄ変換等の信号処理を行い、駆動装置３０の内部で処理可能なデジタル表示信号に変換する。このデジタル表示信号は、信号処理部５３から制御部５４に入力される。【００２６】
制御部５４は、各種制御回路やＭＰＵ、ＣＰＵ等によって構成され、ホイール制御信号（カラー制御信号）を生成し、ホイール制御信号に基づいてカラーホイール３４の動作制御を行う。図５に示すように、カラーホイール３４は、カラーフィルター３４１、回転制御装置３４２を有する。カラーフィルター３４１は、赤色、緑色、青色の３色のカラーフィルターから構成されている。回転制御装置３４２は、カラーフィルター３４１を回動可能に固定し、所定の回転角度・回転速度で回転制御する。具体的には、システムクロックを用いてカラーホイール制御信号を生成し、回転制御装置３４２に入力する。回転制御装置３４２は、入力された回転制御信号に基づいた所定の回転速度・回転角度でカラーフィルター３４１を回転させる。回転制御装置３４２は、この回転速度・回転角度を変えることによって、光路上に赤色、緑色、青色のいずれかのフィルター部分を配置させる。これによって、カラーフィルター３４１は、光源３１からの白色光から赤色光、緑色光、青色光のいずれかを分離する。【００２７】
制御部５４は、ライト・バルブ制御信号に基づいてＤＭＤ３７１の動作制御を行い、微小可動ミラー５６１をオン状態にして有効反射光を生成させる。微小可動ミラー５６１は、フレーム・メモリ５５１に対応して配列されている。フレーム・メモリ５５１は、制御部５４からのライト・バルブ制御信号に応じて、微小可動ミラー５６１に映像データを順次１フレームごとに書き込む。これら映像データが書き込まれた微小可動ミラー５６１はオン状態となる。具体的には、各微小可動ミラー５６１は、フレーム・メモリ５５１がオン状態になると、基準状態に対して所定の角度、例えば＋１２°だけ傾く。微小可動ミラー５６１に映像データが書き込まれると、これら映像データから、映像光が有効反射光として生成される。【００２８】
逆に、各微小可動ミラー５６１は、フレーム・メモリ５５１がオフ状態になると、その逆方向に所定の角度だけ、例えば−１２°傾く。これによって、微小可動ミラー５６１の鏡面で反射された反射光は、画像を形成するために必要な有効反射光と無効な無効反射光とが２４°の光路差を有するように切換えられる。このように、微小可動ミラーのオン／オフは、フレーム・メモリ５５１を介して、制御部５４からのライト・バルブ制御信号に基づいて制御され、オン／オフに応じて有効反射光／無効反射光を生成する。【００２９】
このとき、制御部５４は、ＤＭＤ３７１の動作をカラーホイール３４の動作に同期させる。具体的には、制御部５４は、ホイール制御信号に同期したライト・バルブ制御信号をＤＭＤ３７１に入力する。一例として、制御部５４は、このライト・バルブ制御信号をホイール制御信号から生成することによって、ＤＭＤ３７１をカラーホイール３４１の動作に同期させる。
例えば、光源３１からの白色がカラーフィルター３４１によって赤色光となる場合には、制御部５４は、カラーフィルター３４１の赤色フィルター部分に白色光を透過させる。それに同期して、制御部５４は、ＤＭＤ３７１の微小可動ミラー５６１に有効反射光を赤色光として反射させる。【００３０】
このようなＤＭＤ３７１が１つであるプロジェクタ１２５では、カラーホイール３４によって、赤色、緑色、青色のカラー映像光が時分割に分けられてスクリーン１１上にカラー映像が表示される。この１チップ方式では、スクリーン１１上に、赤色、緑色、青色の各カラー映像光が時分割で交互に投射される。人間の目が高速で切替わる赤色、緑色、青色の映像を分けて認識するのに限界があるために、この投射された各映像光は、赤色、緑色、青色の残像が重なってカラー映像として視認される。【００３１】
一般に、スクリーン１１では、水平方向に指向特性が垂直方向の指向特性に比べて広角化拡大される。そのため、図１に示したように、縦ストライプ状にレンチキュラーレンズ２１１が周期的に配設されたレンチキュラーレンズ２１１が使用されることが多い。この場合には、レンチキュラーレンズ２１１の縦ストライプ構造とＤＭＤ３７１の配置構造との間の干渉によって縦縞モアレが発生する。
ライト・バルブとしてＤＭＤを用いる場合は、画素境界が細いために、明るい画像では画素の変調度が低くモアレは目立たないが、前述したように、暗い画像を表示したときには、マイクロミラーの支持部の反射が変化しているために、スクリーン上において、ミラーの支持部に対応した画素の中央に輝点が生じ、モアレが発生する場合がある。【００３２】
このようなモアレは、画素の配列ピッチＧｐとレンチキュラーレンズのピッチＬｐとの比が、Ｇｐ／Ｌｐ＜２．５あるいは２．８＜Ｇｐ／Ｌｐ＜３．５あるいは３．８＜Ｇｐ／Ｌｐ＜４．２の範囲で目立ちやすい。特にＧｐ／Ｌｐ＜１．４あるいは１．６＜Ｇｐ／Ｌｐ＜２．５あるいは２．８５＜Ｇｐ／Ｌｐ＜３．１５あるいは３．８８＜Ｇｐ／Ｌｐ＜４．１５の範囲で目立ちやすい。さらにＧｐ／Ｌｐ＜１．３あるいは１．７＜Ｇｐ／Ｌｐ＜２．３の範囲では最も目立ちやすい。【００３３】
本発明においては、画素配列の変調度を低下させ、画素配列の空間周波数成分に含まれた高調波列の内、レンチキュラーレンズ２１１の縦ストライプ構造の周波数付近における周波数の強度を減衰させることができるので、縦縞モアレを低減することができる。従来の表示装置では特に上記画素ピッチとレンチピッチの範囲ではモアレが目立ちやすいが、本発明の表示装置ではこれらの範囲であっても縦縞モアレを低減することができる。【００３４】
これについて、図６を用いてより具体的に説明する。
図６に、ＤＭＤパネルに入射した光が出射する方向の概略を示す。ＤＭＤに入射する光はオン状態では正反射によって有効反射光として出射光学系へと入射するが、オフ状態では出射光学系へは入射せず無効反射光としてトラップで吸収される。しかし、ＤＭＤのマイクロミラー支持部においては拡散反射光が存在するため、ＤＭＤがオフ状態にもかかわらず、一部の光が出射光学系へ入光する。そのため、ＤＭＤに黒画像信号を入力したときに、スクリーン上においてミラー支持部に相当する画素中心領域が明るく輝点となる。【００３５】
したがって、ＤＭＤのミラーを駆動する角度は大きいほうが、画素中の輝点の輝度を低下させることとなる。駆動角度の上限は製造条件や応答速度などから規定されるが、上記の例では±１２°としており、±１５以上であるのが、モアレ防止の点からは好ましい。
【実施例】
【００３６】
ＤＭＤを備えた背面透過型表示装置のスクリーン面に、ゲイン７．５の透光性樹脂および光拡散微粒子からなる透光性拡散板を取り付けた。このとき、拡散板上に投影されたＤＭＤ画素の水平方向の周期Ｇｐは０．５ｍｍであった。【００３７】
株式会社ファースト製撮影カメラ「FVAS-5MIC」を表示装置の正面に配置して黒画面を表示し、その輝度を暗室にて測定した。なお、絞り４１は設置しなかった。撮影範囲内には水平方向に約１０個、垂直方向には約８個のＤＭＤ画素があった。このとき撮影カメラの分解能、すなわちＣＣＤ素子の数は、ＤＭＤがその水平方向の周期である０．５ｍｍあたり約１００個であった。【００３８】
上記条件にて黒画面表示の輝度を測定し、垂直方向にＤＭＤ画素２個分の輝度を積分し、黒画面内の水平方向の輝度パターンを測定した。その結果、ＤＭＤ画素一周期分の輝度の凹凸パターンが計測された。本実施例１では前記周期的な輝度の最小値に対する最大値の比が１．１５であった。（図７参照）【００３９】
次いでレンチキュラーレンズシートを前記表示装置に取り付け、黒画面表示でのモアレを観察した。レンチキュラーレンズのピッチＬｐを０．５１８、０．３１１、０．２９５、０．２６５ｍｍ（したがって、Ｇｐ／Ｌｐ＝１．０４、１．６１、１．６９、１．８９となる）としたが、いずれの場合もモアレは目立たなかった。【００４０】
輝点の変調度を低下させる方法としては、下記の方法が考えられ、それらを組み合わせることにより、前記輝度パターンをフーリエ変換し、ＤＭＤ画素一周期分に一致する周期での振幅強度値をＡとし、前記撮影面積範囲での輝度平均値をＢとしたとき、本実施例１においては、Ａ／Ｂの値は０．０２０であった（図８参照）。
１．支持部におけるミラーの平面性を向上し、拡散反射を低下させる。
２．支持部の面積を少なくする。
３．支持部をミラーのほぼ全域に広げる。
４．出射光学系の出射瞳を制限する。
５．ミラーのオン／オフ間の角度を大きくする。
なお、この輝点の変調度を低下させることが可能な手段は、上記の手段に限定されないことは当然である。また、Ａ／Ｂ＜０．０４５となれば本発明の目的が達成されるが、Ａ／Ｂは好ましくは０．０４以下であり、より好ましくは０．０２以下である。【００４１】
上記１および２の手段では拡散反射光量そのものを低下させることによって輝点の変調度を下げるものである。上記３の手段は、単位画素全体でオフ時の輝度を上げ輝点の変調度を下げるものである。上記４および５の手段は、拡散反射光が出射光学系を通過する光量を低下させるものである。【００４２】
上記４の手段において、出射瞳を制限する方法としては、光学系に絞りを挿入することが有効である。図４に示す実施の形態においては、絞り４１は投射レンズ４０の出射側に設けられているが、その位置に限定されるものではない。絞りの幅としては、４ｍｍ〜８ｍｍとするのが、明るさとモアレ防止のバランスの点で好ましく、５ｍｍ〜６ｍｍであるのがより好ましい。【００４３】
絞りによって出射瞳を制限した場合のＡ／Ｂとモアレの状態との関係を表１に示す。Ａ／Ｂの測定は、上記実施例と同様にして行った。モアレの観察は、画素ピッチＧｐを０．７６６ｍｍ、レンチキュラーレンズのレンズピッチＬｐを０．２６５ｍｍ（したがって、Ｇｐ／Ｌｐ＝２．８９）として行った。【００４４】
【表１】
2006129797.tif 000002
【００４５】
絞り等によって出射瞳をＤＭＤにおいてオン／オフ状態を変える際のミラーを駆動する方向について制限することは、暗モアレの防止と画像輝度の維持の両立の点で有効である。これは、モアレ発生の原因となる水平方向の変調度を下げつつ光のロスを少なくできるためである。【００４６】
上記の実施の形態では１枚のＤＭＤパネルを用いた例を示したが、その他の構成をとっても本発明は適用可能である。例えば、３枚のＤＭＤを用い、白色光を分離したこれに３原色の映像光を入射した後に合成することでカラー画像を生成する構成をとってもよい。【００４７】
なお、本発明を実施するための最良の形態においては、菱形状の画素に本発明を適用したが、これに限らず、矩形状、特に正方形状の画素に適用することができる。詳細には、本発明は、画素の配列構造とレンズの配列構造とに起因したモアレを抑制するものであるから、菱形状の画素と同様に周期的に配列された種々の形状の画素にも適用することが可能である。
【図１】
2006129797.tif 000003
【図４】
2006129797.tif 000004
【図５】
2006129797.tif 000005
【図６】
2006129797.tif 000006
【図７】
2006129797.tif 000007
【図８】
2006129797.tif 000008
【図２】
2006129797.tif 000009
【図３】
2006129797.tif 000010
【国際調査報告】
2006129797.tif 000011
2006129797.tif 000012
2006129797.tif 000013
2006129797.tif 000014